(57)【要約】【課題】音質を損ねることなく、装置の筐体の音の通過する部位から内部が見えにくいようにした電子機器を得ること。【解決手段】スピーカ２２４のプロテクタ２４３と携帯電話機の筐体音孔２２４の間には、ユーザの目２６２に近い側の白色の上側メッシュ２５４と遠い側の黒色の下側メッシュ２５２が配置されている。筐体音孔２２４に外から入射する光２６１のうち上側メッシュ２５４によって反射された光２６１Ｈの強度が内部に一度入った光の反射光よりも遥かに強いので、スピーカ２２６の内部は事実上目２６２で確認できない。【選択図】図５
2008022365.tif 000002
【特許請求の範囲】
【請求項１】
電気信号の入力によって振動して音を発生させる振動板を備えた電気・音変換手段と、
この電気・音変換手段を内部に収容し、前記振動板の振動によって発生する放射音を外部に出力するための開口部としての筐体音孔を備えた筐体と、
前記開口部と前記振動板の間に互いに間隔を置いて配置されそれぞれが多数の開口を有する複数枚のシート状部材からなり、前記筐体音孔に最も近いシート状部材は、少なくとも前記開口部に対向する側の部材表面の反射率がそれ以外のシート状部材表面の反射率と比べて視覚的に明暗として区別される比率で大きくなっている電気・音変換手段遮蔽部
とを具備することを特徴とする電子機器。
【請求項２】
外部からの音の入力によって振動する振動板とこの振動板の振動を電気信号に変換する信号変換手段とを備えた音・電気変換手段と、
この音・電気変換手段を内部に収容し、前記振動板を振動させるための音を外部から取り入れるための開口部としての筐体音孔を備えた筐体と、
前記開口部と前記振動板の間に互いに間隔を置いて配置されそれぞれが多数の開口を有する複数枚のシート状部材からなり、前記筐体音孔に最も近いシート状部材は、少なくとも前記開口部に対向する側の部材表面の反射率がそれ以外のシート状部材表面の反射率と比べて視覚的に明暗として区別される比率で大きくなっている音・電気変換手段遮蔽部
とを具備することを特徴とする電子機器。
【請求項３】
前記複数枚のシート状部材は２枚のシート状部材であり、前記筐体に最も近いシート状部材はその両面が白色に、他のシート状部材はそれらの両面が黒となっていることを特徴とする請求項１または請求項２記載の電子機器。
【請求項４】
前記振動板の外側には、この振動板を保護する板状部材としてのプロテクタが配置されており、このプロテクタには音を前記筐体の外部と内部の間を通過させるための開口部としての変換手段用音孔が開口していることを特徴とする請求項１または請求項２記載の電子機器。
【請求項５】
前記シート状部材はメッシュ状のパターンに形成されていることを特徴とする請求項１または請求項２記載の電子機器。
【請求項６】
前記シート状部材のそれぞれは同一パターンのメッシュから構成されており、これらのメッシュの回転位置を所望の角度だけ異ならせて前記筐体内に位置決めするための回転角度用位置決め部を備えていることを特徴とする請求項５記載の電子機器。
【請求項７】
前記シート状部材のそれぞれは同一パターンのメッシュから構成されており、これらのメッシュのパターンを所望の距離だけ一定方向に相対的にずらして前記筐体内に位置決めするためのずれ位置決め部を備えていることを特徴とする請求項５記載の電子機器。
【発明の詳細な説明】
【技術分野】
【０００１】
本発明は、携帯電話機、ＰＨＳ、固定電話機、携帯型音楽再生装置、ビデオカメラ、デジタルカメラ、ＩＣレコーダ、ページャのようにスピーカ、ブザー、レシーバあるいはマイクロフォンといった音と電気の変換を行う変換手段を内蔵した電子機器に係わり、特に変換手段が変換を行うために使用する振動板の前面にメッシュ等の多数の開口を有するシート状部材を配置した電子機器に関する。
【背景技術】
【０００２】
携帯電話機、ＰＨＳ（Personal Handy-phone System）、携帯型音楽再生装置、ビデオカメラ、デジタルカメラ、ＩＣレコーダ、ページャのように電気信号を用いて音を再生することのできる電子機器の多くは、その機器の前面や裏面にスピーカが配置されている。スピーカの配置されている箇所には、防塵あるいは防水のために網目状のメッシュを貼ることが多い（たとえば特許文献１、特許文献２参照）。
【０００３】
図１０は、一般的な折りたたみ式の携帯電話機の折りたたんだ状態の背面を示したものである。この携帯電話機１００の背面上部には、送受信用のアンテナ１０１と、第１のＬＥＤ（Light Emitting Diode）ランプ１０２が配置されている。また、中央のやや上部には背面表示部１０３が配置されており、これに隣接する形で第２のＬＥＤ１０４が配置されている。第２のＬＥＤ１０４の下には、スピーカ１０５が内蔵されている。このスピーカ１０５には、スピーカ音孔１０６が合計５個配置されている。また、携帯電話機１００の背面側のリア筐体カバー１０７には、音波を出力するための筐体音孔１０８〜１１０が開けられている。これらの筐体音孔１０８〜１１０には、メッシュ１１１が貼られている。
【０００４】
図１１は、図１０におけるＡ−Ａ方向でこの携帯電話機を切断した端面の状態を表わしたものである。ただし、この図では携帯電話機１００が開いた状態で、図１０における背面表示部１０３が配置されている側の筐体のみが切断されたものとして表わしている。リア筐体カバー１０７と接続されたフロント筐体カバー１２１の開口部には正面表示部を構成する液晶板１２２を保護するスクリーンシート１２３が貼り付けられている。液晶板１２２の背部（図で上側）には補強用の板金プレート１２４が固定されている。板金プレート１２４の液晶板１２２と反対側の面には回路基盤１２５が取り付けられている。回路基盤１２５にはスピーカ１２６のヨーク１２７側が固定されている。
【０００５】
スピーカ１２６は、ヨーク（継鉄）１２７に取り付けられた円筒状の磁石１２９の周囲に巻回されたボイスコイル１３１が音声信号によってコーン紙等の振動板１３２を振動させて、音を発生させるようになっている。振動板１３２の上方にはスピーカ１２６の内部を保護するためのプロテクタ１３３が取り付けられており、これにはスピーカ音孔１０６が開けられている。プロテクタ１３３の周囲にはリング状にクッション１３４が取り付けられており、その上に１枚のメッシュ１１１が張られている。メッシュ１１１の更に上は、リア筐体カバー１０７が覆っている。リア筐体カバー１０７における図１１で切断した箇所には、筐体音孔１０９が開けられている。
【特許文献１】特開平０５−３０８６９３号公報（第０００５段落、図１）
【特許文献２】実開昭５９−００３６８０（第４ページ第７行目〜第５ページ第９行目、第１図）
【発明の開示】
【発明が解決しようとする課題】
【０００６】
このような構造の従来の携帯電話機１００で、メッシュ１１１には各種の色が使用されている。メッシュ１１１は、スピーカ１２６に対する防塵および防水の役割を持っているが、同時に筐体内部を隠す役割も存在する。メッシュ１１１を構成する網目を小さくすると、筐体内部を隠す効果は向上するが、音響特性が劣化してくる。このため、従来から筐体内部を十分遮蔽できる程度までメッシュ１１１の網目を小さくすることは不可能であった。
【０００７】
そこで、図１０に示したスピーカ音孔１０６が配置されていない場所の直上部分に筐体音孔１０８〜１１０をずらして配置することで、スピーカ音孔１０６の開口箇所が外部から見えないようにする工夫が試みられている。しかしながら、このような工夫は音を効率的に外部に出力するために難しい。そこで、現実的には図１０に示したように、筐体音孔１０８〜１１０の少なくとも一部からスピーカ音孔１０６がはっきり見えることになる場合が多く、外観上でのデザインにマイナスとなっていた。
【０００８】
以上、音を外部に出力するスピーカについて説明したが、ブザー、マイクロフォンやレシーバについても振動板を使用して音と電気の間の変換を行う手段として同様の問題があった。
【０００９】
そこで本発明の目的は、音質を損ねることなく、装置の筐体の音の通過する部位から内部が見えにくいようにした電子機器を提供することにある。
【課題を解決するための手段】
【００１０】
請求項１記載の発明では、（イ）電気信号の入力によって振動して音を発生させる振動板を備えた電気・音変換手段と、（ロ）この電気・音変換手段を内部に収容し、振動板の振動によって発生する放射音を外部に出力するための開口部としての筐体音孔を備えた筐体と、（ハ）開口部と振動板の間に互いに間隔を置いて配置されそれぞれが多数の開口を有する複数枚のシート状部材からなり、筐体音孔に最も近いシート状部材は、少なくとも開口部に対向する側の部材表面の反射率がそれ以外のシート状部材表面の反射率と比べて視覚的に明暗として区別される比率で大きくなっている電気・音変換手段遮蔽部とを電子機器に具備させる。
【００１１】
すなわち本発明では、振動により音を発生させる振動板を備えたスピーカ等の電気・音変換手段を収容した筐体の開口部としての筐体音孔と振動板との間に、多数の開口を有する複数枚のシート状部材を間隔を置いて配置すると共に、これらのシート状部材のうちで筐体音孔に最も近いシート状部材の部材表面の反射率がそれ以外のシート状部材表面の反射率と比べて視覚的に明暗として区別される比率で大きくなっているようにしている。これにより、筐体の外から筐体の内部を見ようとしたとき、筐体音孔に最も近いシート状部材の部材表面の明度が筐体音孔から見た他の場所よりも明らかに高くなるので、筐体内部を視認することが困難になる。しかも、シート状部材を間隔を置いて複数配置しているので、音波はこれらのシート状部材を次々と通過することになり、音質を損ねることがない。
【００１２】
請求項２記載の発明では、（イ）外部からの音の入力によって振動する振動板とこの振動板の振動を電気信号に変換する信号変換手段とを備えた音・電気変換手段と、（ロ）この音・電気変換手段を内部に収容し、振動板を振動させるための音を外部から取り入れるための開口部としての筐体音孔を備えた筐体と、（ハ）開口部と振動板の間に互いに間隔を置いて配置されそれぞれが多数の開口を有する複数枚のシート状部材からなり、筐体音孔に最も近いシート状部材は、少なくとも開口部に対向する側の部材表面の反射率がそれ以外のシート状部材表面の反射率と比べて視覚的に明暗として区別される比率で大きくなっている音・電気変換手段遮蔽部とを電子機器に具備させる。
【００１３】
すなわち本発明では、外部からの音の入力によって振動する振動板を備えたマイクロフォン等の音・光変換手段を収容した筐体の開口部としての筐体音孔と振動板との間に、多数の開口を有する複数枚のシート状部材を間隔を置いて配置すると共に、これらのシート状部材のうちで筐体音孔に最も近いシート状部材の部材表面の反射率がそれ以外のシート状部材表面の反射率と比べて視覚的に明暗として区別される比率で大きくなっているようにしている。これにより、筐体の外から筐体の内部を見ようとしたとき、筐体音孔に最も近いシート状部材の部材表面の明度が筐体音孔から見た他の場所よりも明らかに高くなるので、筐体内部を視認することが困難になる。しかも、シート状部材を間隔を置いて複数配置しているので、音波はこれらのシート状部材を次々と通過することになり、音質を損ねることがない。
【発明の効果】
【００１４】
以上説明したように筐体の内部に配置された振動板と筐体外部との間で筐体音孔を介して音波を伝播させるとき、筐体音孔と振動板との間に複数枚のシート状部材を配置したので、それぞれのシート状部材に配置された多数の開口をあまり大きくしなくても音波が良好に伝播する。したがって、これらのシート状部材による防塵あるいは防水機能を高めることができる。
【００１５】
また、本発明によればこれらのシート状部材における筐体音孔に最も近いものの開口部に対向する側の部材表面の反射率を、それ以外のシート状部材表面の反射率と比べて視覚的に明暗として区別される比率で大きくしたので、筐体内部が見えにくくなり、この結果として筐体音孔の面積を小さくしたり、筐体音孔の位置を理想的な位置から変更する必要がない。したがって、携帯電話機等の電子機器のデザイン性を損なうことなく、良好な音圧特性を確保することが可能になる。
【発明を実施するための最良の形態】
【００１６】
以下実施例につき本発明を詳細に説明する。
【実施例１】
【００１７】
図１は、本発明の一実施例におけるスピーカを備えた電子機器としての携帯電話機の外観を表わしたものである。本実施例の携帯電話機２００は、折りたたみ式の電話機であり、第１の筐体２０１と第２の筐体２０２をヒンジ機構２０３で連結した構造となっている。第１の筐体２０１は、図示しない基地局を介して図示しない固定式電話機あるいは他の携帯電話機やＰＨＳと通信をするためのアンテナ２０４を付属しており、表側の面には文字や記号、図形等からなる必要な視覚情報を表示する液晶ディスプレイからなる正面表示部２０５を配置している。正面表示部２０５の上側には、通話時にユーザの耳を当てて音を聞くためのレシーバ２０６と、カメラ部２０７ならびに第１のＬＥＤランプ２０８を配置している。カメラ部２０７は、図示しない撮像素子に光学レンズを用いて撮影対象物の像を結び、静止画あるいは動画を撮影するもので、携帯電話機の備える重要な機能の１つとされている。第１のＬＥＤランプ２０８は第１の筐体２０１を閉じたときにもその点灯が確認できるように表側の面と裏側の面を跨いで発光するようになっており、本実施例では図示しない内蔵電池が充電中の時は赤く点灯し、完了すると消灯する他に、着信やメール受信時および通話中に任意の色で発光するようになっている。
【００１８】
第２の筐体２０２は、その表側にキー操作部２１１を配置すると共に下端部近傍にマイクロフォン２１２を配置している。キー操作部２１１は相手先にダイヤルする際の入力操作や、この携帯電話機２００に備えられている各種設定を行うための操作あるいは電子メール作成時の文字入力操作等の各種入力操作を行うための複数のキースイッチから構成されている。マイクロフォン２１２は、通話時にユーザの音声を電気信号に変換するために使用される。第２の筐体２０２の側部には、図示しないイヤホンジャックを使用していないときにゴミや水滴の侵入を防ぐために蓋をするイヤホンカバー２１４や、同じく図示しない外部接続端子を使用していないときにゴミや水滴の侵入を防ぐために蓋をする外部接続端子カバー２１５が配置されている。
【００１９】
図２は、図１に示した携帯電話機を閉じた状態で第１の筐体の背面側を見たものである。第１の筐体２０１の背面側には、その中央位置よりも第１のＬＥＤランプ２０８にやや近づいた位置に背面表示部２２１が配置されており、これに隣接する形で第２のＬＥＤ２２２が配置されている。背面表示部２２１は、文字や記号、図形等からなる必要な視覚情報を表示する液晶ディスプレイからなっている。背面表示部２２１は、携帯電話機２００を折り畳んだ状態で図１に示した正面表示部２０５が使えないときにも簡易な内容の情報を表示することができる。第２のＬＥＤ２２２は、イルミネーション部と呼ばれることもあり、その内部に二色以上の異なる色で発光可能なＬＥＤが配置されており、たとえば着信やメール受信時および通話中に任意の色で発光するようになっている。
【００２０】
第２のＬＥＤ２２２とヒンジ機構２０３の間の第１の筐体２０１の背面部分には、筐体音孔２２３〜２２５が配置されている。筐体音孔２２３〜２２５は第１の筐体２０１に内蔵されたスピーカ２２６から出力される音の振動を外部に出力するためのものである。スピーカ２２６は、着信時やメロディのダウンロード時に音(メロディ)を発生させ、着信をユーザに知らせたり、音による情報を通知するようになっている。また、ハンズフリー機能を使用する時には、通話相手の音声としての受話音を出力する。イヤホンジャックカバー２１４は、イヤホンを使用しない時、イヤホン端子部からのゴミや水滴の侵入を防ぐ為に取り付けられたカバーである。
【００２１】
図３は、図２のＢ−Ｂ方向に第１の筐体を切断した端面を表わしたものであり、従来の携帯電話機の図１１に対応している。第１の筐体２０１のリア筐体カバー２３１と接続されたフロント筐体カバー２３２の開口部には、正面表示部２０５（図１）を構成する液晶板２３３の表面を保護する透明なスクリーンシート２３４が取り付けられている。リア筐体カバー２３１とフロント筐体カバー２３２は、携帯電話機２００の外形部分としてのボディを形作っている。リア筐体カバー２３１とフロント筐体カバー２３２は、図示しないネジ留めと嵌合爪とによって接合部を密着されている。液晶板２３３の背部（図で上側）には補強用の板金プレート２３５が固定されている。板金プレート２３５の液晶板２３３と反対側の面には回路基盤２３６が取り付けられている。回路基盤２３６には、携帯電話２００におけるメロディ音の出力、発着呼、メール送受信等の各種機能を実現する部品として、ＤＳＰ（Digital Signal Processor）、ＣＳＰ（Chip Size Package）、増幅器、抵抗、コンデンサ等の回路部品が半田付けされている。この回路基盤２３６にはスピーカ２２６のヨーク（継鉄）２３７も固定されている。
【００２２】
ヨーク２３７に取り付けられた円筒状の磁石２３９の周囲に巻回されたボイスコイル２４１には、音声に応じて正負の電流が流されるようになっている。これにより、ヨーク２３７とこれに取り付けられた磁石２３９の間に磁界が発生し、ボイスコイル２４１が上下に震動する。ボイスコイル２４１に接続されたコーン紙等の振動板２４２が、これに伴って振動することで、音が発生する。
【００２３】
振動板２４２の上方にはこれを保護するためのプロテクタ２４３が取り付けられている。プロテクタ２４３には、振動板２４２の振動によって発生した音を放射するためのスピーカ音孔２４７が開けられている。本実施例では、スピーカ音孔２４７は全部で５個開けられている。また、ヨーク２３７とプロテクタ２４３の間を接続するケース２４８における振動板２４２と対向する位置（４箇所）であるスピーカ２２６の背面方向には背面音孔２４９が開けられている。背面音孔２４９は、背面側に空気の抜け道を設けることによって、振動板２４２に対する振動抑制を防止している。スピーカ音孔２４７と背面音孔２４９の穴の孔の数や大きさおよび位置は任意に定めることができる。
【００２４】
プロテクタ２４３の周囲にはリング状に第１の厚さのクッション２５１が取り付けられており、その上に黒色の下側メッシュ２５２が張られている。また、クッション２５１の上には第２の厚さの両面テープ２５３が貼り付けられており、その上部には白色の上側メッシュ２５４が貼り付けられている。
【００２５】
下側メッシュ２５２および上側メッシュ２５４は、砂や埃、水滴等の異物がスピーカ２２６の内部に侵入することによる異音発生を防ぐためのものである。クッション２５１は、下側メッシュ２５２とプロテクタ２４３との間に配置されている。クッション２５１は、両面テープ２５３をリア筐体カバー２３１と圧着させ、図１０に示した５個のスピーカ音孔１０６に対応して設けられたスピーカ音孔２４７からの放射音の音漏れを防ぐ役割をしている。
【００２６】
下側メッシュ２５２と上側メッシュ２５４は共にポリエステルの糸を網状に直角にクロスさせるように織ったもので、実施例では３３０番手程度の糸を使用している。これらの開口（オープニング）は約４２μｍであり、単位面積当たりに占める開口部の割合としての開口率は約３０パーセントとなっている。また、両面テープ２５３の厚さは約０．１ｍｍであり、したがって、下側メッシュ２５２と上側メッシュ２５４の間隔は約０．１ｍｍとなっている。
【００２７】
上側メッシュ２５４の更に上は、リア筐体カバー２３１が覆っている。両面テープ２５３の上側の接着面は、上側メッシュ２５４と共にリア筐体カバー２３１の下面と接着されている。リア筐体カバー２３１における図２で切断した箇所には、筐体音孔２２４が開けられている。
【００２８】
図４は、本実施例の携帯電話機のリア筐体カバーの要部を表わしたものである。スピーカ２２６の前面には白色の上側メッシュ２５４が配置されており、その下には外観上みえないが下側メッシュ２５２（図３参照）が所定の間隔を置いて配置されている。また、リア筐体カバー２３１におけるスピーカ２２６の配置された領域の上の部分には筐体音孔２２３〜２２５が配置されている。
【００２９】
このような配置では、リア筐体カバー２３１を正面から見ると、筐体音孔２２３〜２２５の一部（図では筐体音孔２２３、２２４）がスピーカ音孔２４７と位置的に重なり合う。しかしながら、本実施例では上側メッシュ２５４の下にスピーカ音孔２４７を識別することは困難である。この理由を次に説明する。
【００３０】
図５は、本実施例で筐体音孔の箇所での外光の入射と反射の様子を表わしたものである。本実施例では、上側メッシュ２５４が光の反射率の高い白色になっており、その下に配置された下側メッシュ２５２は光の吸収率の高い黒色になっている。したがって、たとえば図２に示した筐体音孔２２４に入射した光２６１のうちで上側メッシュ２５４によって反射された光２６１Ｈの強度が強いのに対して、下側メッシュ２５２に到達した光は、大部分が吸収され、外部に向けてほとんど反射されない。また、これら上側メッシュ２５４および下側メッシュ２５２を透過した光はスピーカ２２６のプロテクタ２４３や、更に内部の振動板２４２まで到達するが、これらも黒色あるいは暗い色で着色されていれば、その多くが吸収される。このように上側メッシュ２５４の表面の反射率は下側メッシュ２５２の表面の射率と比べて視覚的に明暗として区別される比率で大きくなっている。
【００３１】
また、プロテクタ２４３や振動板２４２から反射された光２６１Ｐ、２６１Ｓは、その多くが下側メッシュ２５２に到達して、そこで吸収されるか、上側メッシュ２５４に到達して再度、スピーカ２２６の内部へ向かって反射される。これらスピーカ２２６の内部へ向かった反射光は、再度、下側メッシュ２５２で吸収されたり、振動板２４２等の他の部材によって吸収されることが多い。このため、上側メッシュ２５４を通過してスピーカ２２６の内部に進んだ光がスピーカ２２６外に反射される光の量は大幅に減少する。
【００３２】
この一方で、筐体音孔を見つめるユーザの目２６２には、上側メッシュ２５４によって反射された光２６１Ｈが他の反射光よりも遥かに強く入射する。ユーザは目２６２の虹彩を調整して、入射する光量を自動的に調整する。この結果、スピーカ２２６の内部から外部に反射することで目２６２に到達する比較的弱い光はほとんど認識されないことになる。したがって、ユーザは明るい上側メッシュ２５４を見ている状態で、プロテクタ２４３や振動板２４２あるいはこれらの外観を識別することが困難となる。
【００３３】
一方、振動板２４２の振動による放射音は、スピーカ音孔２４７をまず通過する。そして、下側メッシュ２５２の網目が特に小さいものではないので、これを特に音響特性の劣化なく通過する。次に、上側メッシュ２５４の網目も特に小さいものではないので、同様にこれについても特に音響特性の劣化なく通過する。このように、スピーカ２２６の音の通過は制限されることなく、内部に対して光を効果的に遮蔽することができる。したがって、３個の筐体音孔２２３〜２２５と５個のスピーカ音孔２４７の配置と直径が統一されていない構造であっても、３個の筐体音孔２２３〜２２５の直径を小さくしたり、音孔位置を変更することなく、筐体音孔筐体音孔２２３〜２２５から５個の背面音孔２４９が見えにくい構造が実現する。このため、携帯電話機２００のデザインに影響を与えることがない。
【００３４】
以上説明したように実施例によれば、上側メッシュ２５４が白色なので、この反射光が強く明るい。したがって、スピーカ２２６の内部に入り、反射光として戻ってくる光が相対的に暗くなり、この結果として内部を透けにくくする効果がある。また、メッシュが２枚わずかな間隔を置いて張られ、下側に配置された下側メッシュ２５２が黒色なので、入射光を吸収することで上側メッシュ２５４の存在を際立たせ、前記した効果を増大させることになる。すなわち、下側メッシュ２５２も白色の場合には、上側メッシュ２５４が最も明るく、下側メッシュ２５２が入射光の制限を多少受けてやや明るいグレーとなるので、ユーザの目２６２が明るさの変化を認識しやすくなり、プロテクタ２４３に設けたスピーカ音孔２４７が目立ちやすくなる。本実施例ではこのような状況を発生させない。
【００３５】
このため、従来行ったような筐体音孔２２３〜２２５の直径を小さくしたり、音孔位置を変更する必要がない。しかも、振動板２４２の振動による放射音は下側メッシュ２５２と上側メッシュ２５４の存在により、それぞれの網目を特段に小さくする必要がない。したがって、携帯電話機２００のデザインに制約を与えることなく、良好な音圧特性を確保することが可能となる。
【００３６】
＜発明の第１の変形例＞
【００３７】
図６は本発明の第１の変形例における上側メッシュを表わしており、図７は下側メッシュを表わしている。図６に示した白色の上側メッシュ２５４Ａと図７に示した黒色の下側メッシュ２５２Ａは共に図３に示したリング状のクッション２５１とほぼ同一径の円形となっているが、それぞれ突起状の位置決め部３０１、３０２を円周の特定位置に備えている。そして、それぞれの位置決め部３０１、３０２の方向を一致させたとき、上側メッシュ２５４Ａのメッシュのパターンは、下側メッシュ２５２Ａをその円の中心で４５度回転させたパターンとなっている。このため、上側メッシュ２５４Ａと下側メッシュ２５２Ａのパターンを４５度回転させた状態を簡易に実現することができる。
【００３８】
図８は、上側メッシュと下側メッシュを位置決めして上下に間隔を置いて配置した状態をこれらの面に対して垂直方向から見たものである。上側メッシュ２５４Ａと下側メッシュ２５２Ａは、４５度食い違ったパターンとなっている。このため、上側メッシュ２５４Ａを通った光線が下側メッシュ２５２Ａで遮蔽される確率が先の実施例の場合よりも高くなる。したがって、スピーカ２２６（図３参照）の内部の遮光性が実施例の場合よりも向上する。
【００３９】
＜発明の第２の変形例＞
【００４０】
図９は本発明の第２の変形例における上側メッシュを表わしている。先の第１の変形例と異なり、第２の変形例の白色の上側メッシュ２５４Ｂは、図７に示した黒色の下側メッシュ２５２Ａを白色に変えただけであり、パターンは下側メッシュ２５２Ａと同一である。この第２の変形例では、下側メッシュ２５２Ａをスピーカ２２６（図３参照）に近い側に配置する。そして、間隔を開けて上側メッシュ２５４Ｂをその上側に配置するとき、位置決め部３０１Ｂ、３０２Ａの位置決め方向を一致させるものの、上側メッシュ２５４Ｂをメッシュの半ピッチだけ位置決め方向にずらして固定する。
【００４１】
これにより、上側メッシュ２５４Ｂと下側メッシュ２５２Ａの間隔が比較的狭い場合には、ユーザの目がスピーカ２２６（図３参照）の真正面から多少の角度だけ傾いていても、メッシュが重なり合わず、上側メッシュ２５４Ｂを通った光線が下側メッシュ２５２Ａで遮蔽される確率が先の実施例の場合よりも高くなる。したがって、スピーカ２２６の内部の斜光性が実施例の場合よりも向上する。
【００４２】
＜発明のその他の変形可能性＞
【００４３】
以上説明した実施例および変形例では上側メッシュ２５４、２５４Ａ、２５４Ｂを白色とし、下側メッシュ２５２、２５２Ａを黒色としたが、これに限るものではない。たとえば、上側メッシュ２５４、２５４Ａ、２５４Ｂの上側の面を白色に塗布し、下側の面を黒色に塗布してもよい。また、上側メッシュ２５４、２５４Ａ、２５４Ｂの少なくとも上側の面に金属メッキをしてその反射率を上げてもよい。更に白色でなくても反射率の高い色および濃度であってもよい。たとえば白っぽいグレーとか、蛍光色としての鮮やかな黄色またはオレンジ色を一例として挙げることができる。下側メッシュ２５２、２５２Ａについても黒色である必要はなく、反射率の低い色および濃度であってもよい。たとえば紺色や藍色を一例として挙げることができる。
【００４４】
更に、本実施例および変形例では２５４、２５４Ａ、２５４Ｂと下側メッシュ２５２、２５２Ａの２層としたが、更なる厚さが許容される電子機器では、たとえばより薄い糸を用いることで３層以上のメッシュ構造も可能である。また、本発明の適用対象は携帯電話機に限られず、スピーカのような電気・音変換手段あるいはマイクロフォンのような音・電気変換手段を備えたあらゆる電子機器が対象となることはもちろんである。
【００４５】
また、実施例ではポリエステルの糸を網状にクロスさせて下側メッシュ２５２および上側メッシュ２５４を作成したが、素材およびメッシュの形成方法、メッシュの開口率およびメッシュ同士の間隔は適宜変更してもよいことはもちろんである。たとえばメッシュはシート状の材料に多数の孔を打ち抜いたものであってもよい。
【図面の簡単な説明】
【００４６】
【図１】本発明の一実施例における携帯電話機を開いた状態の外観を表わした斜視図である。
【図２】本実施例の携帯電話機を閉じた状態で第１の筐体の背面方向から見た斜視図である。
【図３】図２のＢ−Ｂ方向に第１の筐体を切断した際の端面を表わした端面図である。
【図４】本実施例の携帯電話機のリア筐体カバーの要部を表わした平面図である。
【図５】本実施例で筐体音孔の箇所での外光の入射と反射の様子を表わした説明図である。
【図６】本発明の第１の変形例における上側メッシュを表わした平面図である。
【図７】第１の変形例における下側メッシュを表わした平面図である。
【図８】第１の変形例で上側メッシュと下側メッシュを位置決めして上下に間隔を置いて配置した状態をこれらの面に対して垂直方向から見た平面図である。
【図９】本発明の第２の変形例における上側メッシュを表わした平面図である。
【図１０】一般的な折りたたみ式の携帯電話機の折りたたんだ状態の背面を示した平面図である。
【図１１】図１０におけるＡ−Ａ方向でこの携帯電話機を切断した際の端面を表わした端面図である。
【符号の説明】
【００４７】
２００  携帯電話機（電子機器）
２２３〜２２５  筐体音孔
２２６  スピーカ
２４２  振動板（電気・音変換手段、音・電気変換手段）
２４３  プロテクタ
２４７  スピーカ音孔
２５２、２５２Ａ  下側メッシュ
２５４、２５４Ａ、２５４Ｂ  上側メッシュ
２６１  光
２６２  ユーザの目
３０１、３０２  位置決め部
【図１】
2008022365.tif 000003
【図２】
2008022365.tif 000004
【図３】
2008022365.tif 000005
【図４】
2008022365.tif 000006
【図５】
2008022365.tif 000007
【図６】
2008022365.tif 000008
【図７】
2008022365.tif 000009
【図８】
2008022365.tif 000010
【図９】
2008022365.tif 000011
【図１０】
2008022365.tif 000012
【図１１】
2008022365.tif 000013